(57)【要約】【課題】海外展開に要する時間の短縮化を図りつつ、製造コストの増大化を抑制すること。【解決手段】金銭の入金処理を行う金銭処理装置２０と、金銭処理装置２０で入金処理された金額情報が与えられた場合に、金額情報を金額表示器１８に表示させる制御手段４０とを備え、内部に収納された商品の販売を行う自動販売機１において、制御手段４０は、リモートコントローラ３０を通じて所定の桁数を省略するシフト桁数の入力が行われた場合に、金額表示器１８に対して所定の桁数の表示を省略した状態で金額情報を表示させるものである。【選択図】図１
2019175324.tif 000002
【特許請求の範囲】
【請求項１】
金銭の入金処理を行う金銭処理手段と、
前記金銭処理手段で入金処理された金額情報が与えられた場合に、該金額情報を金額表示器に表示させる制御手段と
を備え、
内部に収納された商品の販売を行う自動販売機において、
前記制御手段は、入力手段を通じて所定の桁数を省略するシフト桁数の入力が行われた場合に、前記金額表示器に対して所定の桁数の表示を省略した状態で前記金額情報を表示させることを特徴とする自動販売機。
【請求項２】
前記金銭処理手段は、所定の通信可能領域に保持された記録媒体との間で電子決済を行う決済部を備えてなり、該決済部を通じて前記記録媒体から読み出した金額情報を前記制御手段に出力することを特徴とする請求項１に記載の自動販売機。
【請求項３】
金銭の入金処理を行う金銭処理手段と、
前記金銭処理手段で入金処理された金額情報が与えられた場合に、該金額情報以下の販売価格の商品を選択する選択手段を有効化させる制御手段と
を備え、
有効化させた選択手段を通じて商品が選択された場合に、該商品の販売を行う自動販売機において、
前記制御手段は、入力手段を通じて所定の桁数を省略するシフト桁数の入力が行われた場合に、前記販売価格における所定の桁数を省略してシフト販売価格を設定し、かつ前記金額情報が与えられたときに該金額情報における所定の桁数を省略したシフト金額情報を設定して該シフト金額情報以下のシフト販売価格の商品の選択手段を有効化させることを特徴とする自動販売機。
【請求項４】
前記入力手段は、前記制御手段に電気的に接続されたリモートコントローラであることを特徴とする請求項１〜３のいずれか１つに記載の自動販売機。
【発明の詳細な説明】
【技術分野】
【０００１】
本発明は、商品の販売を行う自動販売機に関するものである。
【背景技術】
【０００２】
従来、自動販売機本体の内部に収納された商品の販売を行う自動販売機が特許文献１に提案されている。かかる自動販売機では、利用者から金銭が投入されると、金銭処理装置にて入金処理が行われ、投入された金銭の金額情報が制御部に与えられる。制御部は、金額情報を金額表示器に表示させるとともに、販売価格が金額情報以下となる商品を選択するための商品選択ボタンを有効化させる。有効化させたいずれかの商品選択ボタンが押圧操作されると、制御部は、該商品選択ボタンに関連付けられた商品を収納するコラムの払出機構を駆動させて、該商品を商品取出口まで払い出させて取り出し可能な状態にさせる。また制御部は、選択された商品の販売価格情報を金銭処理装置に与え、金銭処理装置にて金額情報と販売価格情報とに差があれば、その差を釣銭として出金処理させている。
【先行技術文献】
【特許文献】
【０００３】
【特許文献１】特開２０１６−２０６７５３号公報
【発明の概要】
【発明が解決しようとする課題】
【０００４】
ところで、上述した自動販売機は、国内で適用されることを前提として製造されているので、金額表示器での表示桁数が最大５桁とされ、販売価格の設定を行う桁数が最大で４桁とされている。
【０００５】
そのため、そのような自動販売機を海外に展開する場合には次のような問題があった。すなわち、収納する商品の販売価格の桁数を、適用される国の物価により例えば５桁以上の多価格桁数にする必要がある場合、現行の金額表示器で表示を行うことや販売価格の設定を行うことができず、当該国の物価に応じてソフトウェアの開発を行うことが必要となり、結果的に海外展開に時間を要するとともに、製造コストの増大化を招来していた。
【０００６】
本発明は、上記実情に鑑みて、海外展開に要する時間の短縮化を図りつつ、製造コストの増大化を抑制することができる自動販売機を提供することを目的とする。
【課題を解決するための手段】
【０００７】
上記目的を達成するために、本発明に係る自動販売機は、金銭の入金処理を行う金銭処理手段と、前記金銭処理手段で入金処理された金額情報が与えられた場合に、該金額情報を金額表示器に表示させる制御手段とを備え、内部に収納された商品の販売を行う自動販売機において、前記制御手段は、入力手段を通じて所定の桁数を省略するシフト桁数の入力が行われた場合に、前記金額表示器に対して所定の桁数の表示を省略した状態で前記金額情報を表示させることを特徴とする。
【０００８】
また本発明は、上記自動販売機において、前記金銭処理手段は、所定の通信可能領域に保持された記録媒体との間で電子決済を行う決済部を備えてなり、該決済部を通じて前記記録媒体から読み出した金額情報を前記制御手段に出力することを特徴とする。
【０００９】
また、本発明に係る自動販売機は、金銭の入金処理を行う金銭処理手段と、前記金銭処理手段で入金処理された金額情報が与えられた場合に、該金額情報以下の販売価格の商品を選択する選択手段を有効化させる制御手段とを備え、有効化させた選択手段を通じて商品が選択された場合に、該商品の販売を行う自動販売機において、前記制御手段は、入力手段を通じて所定の桁数を省略するシフト桁数の入力が行われた場合に、前記販売価格における所定の桁数を省略してシフト販売価格を設定し、かつ前記金額情報が与えられたときに該金額情報における所定の桁数を省略したシフト金額情報を設定して該シフト金額情報以下のシフト販売価格の商品の選択手段を有効化させることを特徴とする。
【００１０】
また本発明は、上記自動販売機において、前記入力手段は、前記制御手段に電気的に接続されたリモートコントローラであることを特徴とする。
【発明の効果】
【００１１】
本発明によれば、制御手段が、入力手段を通じて所定の桁数を省略するシフト桁数の入力が行われた場合に、金額表示器に対して所定の桁数の表示を省略した状態で金額情報を表示させるので、商品の販売価格の桁数を多価格桁数にする必要がある国においても、日本国内で製造した自動販売機を適用することができる。しかも、当該国の物価に応じてソフトウェアの開発を行う必要がない。従って、海外展開に要する時間の短縮化を図りつつ、製造コストの増大化を抑制することができるという効果を奏する。
【００１２】
また本発明によれば、制御手段が、入力手段を通じて所定の桁数を省略するシフト桁数の入力が行われた場合に、販売価格における所定の桁数を省略してシフト販売価格を設定し、かつ金額情報が与えられたときに該金額情報における所定の桁数を省略したシフト金額情報を設定して該シフト金額情報以下のシフト販売価格の商品の選択手段を有効化させるので、商品の販売価格の桁数を多価格桁数にする必要がある国においても、日本国内で製造した自動販売機を適用することができる。しかも、当該国の物価に応じてソフトウェアの開発を行う必要がない。従って、海外展開に要する時間の短縮化を図りつつ、製造コストの増大化を抑制することができるという効果を奏する。
【図面の簡単な説明】
【００１３】
【図１】図１は、本発明の実施の形態である自動販売機の主要な構成要素を模式的に示す模式図である。
【図２】図２は、図１に示した金額表示器の要部を示す説明図である。
【図３】図３は、図１に示したリモートコントローラを模式的に示す模式図である。
【図４】図４は、図１に示した制御手段が実施する販売制御処理の処理内容を示すフローチャートである。
【図５】図５は、図２に示した金額表示器の表示例を示す説明図である。
【発明を実施するための形態】
【００１４】
以下に添付図面を参照して、本発明に係る自動販売機の好適な実施の形態について詳細に説明する。
【００１５】
図１は、本発明の実施の形態である自動販売機の主要な構成要素を模式的に示す模式図である。
【００１６】
ここで例示する自動販売機１は、例えば缶入り飲料やペットボトル入り飲料等の容器入り飲料を商品として販売するものである。図には明示していないが、自動販売機１の本体キャビネットには、複数の商品収納ラックが設けてあり、これらの商品収納ラックにコラムが設定してある。コラムは、同一種類の商品が収納される収納単位であり、販売する商品に応じて１、若しくは複数の商品収納ラックが対応している。
【００１７】
商品収納ラックには、それぞれに収納した商品の払出制御を行うためのベンドメック１０が設けてあるとともに、個々のベンドメック１０に商品の売り切れを検出する売切センサ１２が設けてある。
【００１８】
図１に示すように、上記自動販売機１には、コラムに対応した商品選択ボタン１４及び売切ランプ１６が設けてあるとともに、金額表示器１８及び金銭処理装置２０が設けてある。
【００１９】
商品選択ボタン１４は、利用者が購入商品を選択するための選択手段で、図には明示していないが、本体キャビネットの前面に商品見本とともに配設してある。個々の商品選択ボタン１４は、利用者によって押圧操作された場合に出力信号を後述の制御手段４０に対して出力する。売切ランプ１６は、利用者に対して商品が販売可能であるか否かを表示するためのもので、個々の商品選択ボタン１４に対応して設けてある。
【００２０】
金額表示器１８は、投入金額等、商品を購入する場合に必要となるデータを表示するためのもので、図２に示すように、最大５桁の表示が可能である。金銭処理装置２０は、コインメカニズムやビルバリデータと称されるものであり、利用者によって金銭が投入された場合にこれを鑑別し、その鑑別結果を金額情報として制御手段４０に出力する金銭処理手段である。
【００２１】
また上記自動販売機１には、リモートコントローラ３０が設けてある。リモートコントローラ３０は、商品収納ラックに対するコラムの設定や、コラムと商品選択ボタン１４との対応付け、販売価格の設定等、商品の販売に関わる各種設定や確認を行うための入力手段である。このリモートコントローラ３０は、図３に示すように、各種機能キーやカーソルキー等の入力部３１と、液晶表示器等の表示部３２とを備えて構成してある。かかるリモートコントローラ３０は、特徴的な機能として、所定の桁数を省略するシフト桁数の入力が可能である。このようなリモートコントローラ３０は、自動販売機１の管理者やルート作業者と称される商品補充者が操作するものであり、施錠された外扉を解錠して開放した場合にのみ操作することが可能である。
【００２２】
自動販売機１の制御手段４０は、図１に示すように、売切センサ１２、商品選択ボタン１４、金銭処理装置２０、リモートコントローラ３０から出力信号が与えられた場合、予めメモリ４２に格納したプログラムやデータに従って商品収納ラックのベンドメック１０、売切ランプ１６、金額表示器１８、リモートコントローラ３０の動作を制御するもので、入力制御部４０ａ、出力制御部４０ｂ、販売制御部４０ｃを有している。
【００２３】
入力制御部４０ａは、リモートコントローラ３０の入力部３１が操作された場合に、その入力操作に対応した指令を各部に与えるものである。出力制御部４０ｂは、表示指令が与えられた場合に、金額表示器１８若しくは表示部３２を通じて所望の表示を行うものである。
【００２４】
販売制御部４０ｃは、商品の販売に関わる処理を統括的に制御するものである。より具体的には、入力部３１の操作により商品収納ラックに対してコラムが設定され、更にコラムに対して商品選択ボタン１４及び販売価格が対応付けられた場合、販売制御部４０ｃによってコラムの番号と商品収納ラックと商品選択ボタン１４と販売価格とが互いに対応付けられ、メモリ４２に格納される。
【００２５】
また販売制御部４０ｃは、金銭処理装置２０に金銭が投入された場合、投入金銭が販売価格以上となった時点で該当する商品選択ボタン１４を有効化する。有効化した商品選択ボタン１４が押圧操作された場合、販売制御部４０ｃは、対応するコラムの商品収納ラックに設けられたベンドメック１０を動作させて商品を１つ払い出す動作を行う。
【００２６】
更に販売制御部４０ｃは、売切センサ１２を通じて商品収納ラックの商品を監視し、商品無しを検出した場合、対応するコラムの売切ランプ１６を点灯して売切状態であることを報知する処理を行う。
【００２７】
ところで販売制御部４０ｃは、詳細は後述するが、リモートコントローラ３０を通じてシフト桁数の入力が行われた場合には、シフト販売価格の設定やシフト金額情報の設定を行う。
【００２８】
図４は、図１に示した制御手段４０が実施する販売制御処理の処理内容を示すフローチャートである。かかる販売制御処理を説明しながら、適用される自動販売機１の動作について説明する。尚、この販売制御処理は、日本国ではなく、例えばインドネシア共和国で行われるものとして説明する。
【００２９】
この販売制御処理において制御手段４０は、外扉が解錠・開放されてリモートコントローラ３０の入力部３１でシフト桁数の入力された場合（ステップＳ１０１：Ｙｅｓ）、販売制御部４０ｃを通じて各販売価格についてシフト販売価格の設定を行う（ステップＳ１０２）。このことについて具体的に説明する。入力部３１にて例えば３桁を省略するシフト桁数の入力が行われると、販売価格における３桁を省略してシフト販売価格を設定する。つまり、販売価格が「１００００（ルピア）」であった場合、シフト販売価格は「１０」と設定する。
【００３０】
このようにシフト販売価格を各商品について行った後、外扉が閉塞・施錠されて待機状態とし、金銭の投入待ちとなる（ステップＳ１０３）。
【００３１】
金銭処理装置２０に金銭が投入されて投入金銭が鑑別されて鑑別結果である金額情報が入力された場合（ステップＳ１０３：Ｙｅｓ）、制御手段４０は、販売制御部４０ｃを通じてシフト金額情報の設定を行う（ステップＳ１０４）。つまり、制御手段４０は、ステップＳ１０１でのシフト桁数の入力に従い、金額情報における３桁を省略したシフト金額情報を設定する。具体的には、金額情報が「１００００（ルピア）」であった場合、シフト金額情報を「１０」と設定する。
【００３２】
このようにしてシフト金額情報の設定を行った制御手段４０は、販売制御部４０ｃよりシフト金額情報の表示指令を送出する（ステップＳ１０５）。これにより、図５に示すように、出力制御部４０ｂを通じて金額表示器１８にシフト金額情報が表示される。
【００３３】
そして、制御手段４０は、販売制御部４０ｃを通じてシフト販売価格がシフト金額情報以下の商品選択ボタン１４を有効化し（ステップＳ１０６）、いずれかの有効化した商品選択ボタン１４の押圧操作待ちとなる（ステップＳ１０７）。有効化したいずれかの商品選択ボタン１４が押圧操作された場合（ステップＳ１０７：Ｙｅｓ）、販売制御部４０ｃは、対応するコラムの商品収納ラックに設けられたベンドメック１０に払出指令を送出する（ステップＳ１０８）。これにより商品が１つ払い出されて利用者が取り出すことができる。その後、釣銭があれば返却した後に手順をリターンさせて今回の処理を終了する。
【００３４】
以上説明したように、本発明の実施の形態である自動販売機１によれば、制御手段４０が、リモートコントローラ３０を通じてシフト桁数の入力が行われた場合に、金額表示器１８に対してシフト金額情報を表示させるので、商品の販売価格の桁数を多価格桁数にする必要がある国においても、日本国内で製造したものを適用することができる。しかも、当該国の物価に応じてソフトウェアの開発を行う必要がない。従って、海外展開に要する時間の短縮化を図りつつ、製造コストの増大化を抑制することができる。
【００３５】
上記自動販売機１によれば、制御手段４０が、リモートコントローラ３０を通じてシフト桁数の入力が行われた場合に、シフト販売価格を設定し、かつシフト金額情報を設定して該シフト金額情報以下のシフト販売価格の商品の商品選択ボタン１４を有効化させるので、商品の販売価格の桁数を多価格桁数にする必要がある国においても、日本国内で製造したものを適用することができる。しかも、当該国の物価に応じてソフトウェアの開発を行う必要がない。従って、海外展開に要する時間の短縮化を図りつつ、製造コストの増大化を抑制することができる。
【００３６】
以上、本発明の好適な実施の形態について説明したが、本発明はこれに限定されるものではなく、種々の変更を行うことができる。
【００３７】
上述した実施の形態では、リモートコントローラ３０を入力手段として説明したが、本発明においては、リモートコントローラ３０に限られず、複数の自動販売機を管理する上位機器が入力手段を構成してもよい。
【００３８】
上述した実施の形態では、金銭処理装置２０を金銭処理手段として説明したが、本発明においては、金銭処理手段は、所定の通信可能領域に保持された記録媒体との間で電子決済を行う決済部を備え、該決済部を通じて記録媒体から読み出した金額情報を制御手段に出力するものであってもよい。
【符号の説明】
【００３９】
１  自動販売機
１０  ベンドメック
１２  売切センサ
１４  商品選択ボタン
１６  売切ランプ
１８  金額表示器
２０  金銭処理装置
３０  リモートコントローラ
４０  制御手段
４２  メモリ
【図１】
2019175324.tif 000003
【図２】
2019175324.tif 000004
【図３】
2019175324.tif 000005
【図４】
2019175324.tif 000006
【図５】
2019175324.tif 000007